(57)【要約】      （修正有）【課題】偏菱形の網目が形成され、２つの隣り合う螺旋状のワイヤが互いに柔軟に保持し合うように編んで構成される保護網を更に改良し、保護網の力を吸収する能力を高めること。【解決手段】保護網は螺旋状に曲げられたワイヤ（１１、１２、１３、１４、１５、１６）を編んで構成される。偏菱形の網目（１７）が形成され、２つの隣接する螺旋状の前記ワイヤは互いに柔軟に保持される。保護網（１０）は、ワイヤの厚さの数倍の厚みを有し、ワイヤの少なくとも幾つかの編まれた組では、実質的に２つの螺旋状のワイヤの結合領域（Ａ）を通して、真っ直ぐな長手方向補強素子（３１、３２、３３、３４、３５）が配置される。それ故、偏菱形の網目（１７）は、三角形の網目（１７ａ、１７ｂ）に分割される。保護網の力の伝達の重要なこれらの領域では、２本のワイヤ又はワイヤ素子に替わって、３本のワイヤ又はワイヤ素子を接触させる。【選択図】図１
2007162456.tif 000002
【特許請求の範囲】
【請求項１】
螺旋状に曲げられたワイヤ（１１、１２、１３、１４、１５、１６）、又は螺旋状に曲げられ、幾つかのワイヤから成る多数のワイヤ素子（ワイヤ撚り、ワイヤケーブル又はワイヤ束）を編んで構成され、且つ、
偏菱形の網目（１７）を形成し、その網目において２つの隣接する前記螺旋状のワイヤ（１１、１２、１３、１４、１５、１６）又は前記ワイヤ素子は互いに柔軟に保持されており、そして前記ワイヤ又は前記ワイヤ素子の厚さの数倍の厚みを有する特に落石の防護構造又は土壌層の安定化のための保護網において、
前記ワイヤ又は前記ワイヤ素子（１１、１２、１３、１４、１５、１６）の少なくとも一部において、実質的に真っ直ぐな長手方向補強素子（３１、３２、３３、３４、３５）が前記２つの螺旋状のワイヤ又はワイヤ素子の結合領域（Ａ）、即ち交差する曲がり部を通して配置され、前記偏菱形の網目（１７）は三角形の網目（１７ａ、１７ｂ）に分割され、前記２つのワイヤ又はワイヤ素子は前記結合領域によって柔軟に接続されることを特徴とする保護網。
【請求項２】
前記補強素子（３１、３２、３３、３４、３５）は、単一のワイヤ、２つ以上のワイヤ、ワイヤ撚り、ワイヤケーブル又はワイヤ束であることを特徴とする請求項１に記載の保護網。
【請求項３】
前記補強素子（３１、３２、３３、３４、３５）は、円形断面の棒又は筒であることを特徴とする請求項１に記載の保護網。
【請求項４】
前記補強素子（３１、３２、３３、３４、３５）は、半円の断面を有し、ケーブルや他の素子を保持するための凹部を有する棒であることを特徴とする請求項１に記載の保護網。
【請求項５】
前記ワイヤ（１１、１２、１３、１４、１５、１６）又は前記ワイヤ素子、及び／又は前記補強素子（３１、３２、３３、３４、３５）は、鋼で作製され、防食処理が施されていることを特徴とする請求項１〜４の何れか１項に記載の保護網。
【請求項６】
前記ワイヤ（１１、１２、１３、１４、１５、１６）又は前記ワイヤ素子、及び／又は前記補強素子（３１、３２、３３、３４、３５）は、少なくとも一部分が高抗張力鋼で構成されていることを特徴とする請求項５に記載の保護網。
【請求項７】
前記ワイヤ（１１、１２、１３、１４、１５、１６）又は前記ワイヤ素子は、少なくとも一部分が高抗張力鋼で構成され、前記補強素子（３１、３２、３３、３４、３５）は、それより低い抗張力の鋼で構成されていることを特徴とする請求項１〜５の何れか１項に記載の保護網。
【請求項８】
前記補強素子（３１、３２、３３、３４、３５）は、互いに等間隔又は不等間隔で配置され、且つ、互いに柔軟に保持されている前記ワイヤ又は前記ワイヤ素子のそれぞれの組に、若しくは２番目又は３番目の前記ワイヤ又は前記ワイヤ素子の組毎に、割り当てられていることを特徴とする請求項１〜７の何れか１項に記載の保護網。
【請求項９】
前記ワイヤ（１１、１２、１３、１４、１５、１６）又は前記ワイヤ素子は、端部において曲げられ、又は輪（１１ａ、１２ａ、１３ａ、１４ａ、１５ａ、１６ａ）又は結び目が設けられ、互いに編まれている前記螺旋状のワイヤ又は前記ワイヤ素子は、これらの端部素子を介して互いに柔軟に接続されていることを特徴とする請求項１〜８の何れか１項に記載の保護網。
【請求項１０】
前記補強素子（３１、３２、３３、３４、３５）は、少なくとも一つの端部が曲げられ、又は輪（３１ａ、３２ａ、３３ａ、３４ａ、３５ａ）又は結び目が設けられ、これらの端部素子は、対応する端部（耳）輪に柔軟に接続され、又は対応するワイヤ又はワイヤ素子は、柔軟に接続されて組を為す前記端部素子（１１ａ、１２ａ；１３ａ、１４ａ；１５ａ、１６ａ）と柔軟に接続されていることを特徴とする請求項９に記載の保護網。
【請求項１１】
斜面安定器（４０）は、ワイヤメッシュ（１０）と、土壌の表面に前記ワイヤメッシュを押し付ける爪状の板又はその類似物を具備し地面に沈められ得る固定素子（２０）とを有し、また前記ワイヤメッシュ（１０）を保持し、張り伸ばすケーブル（２１）を少なくとも上端部に有することを特徴とする請求項１〜１０の何れか１項に記載の保護網。
【発明の詳細な説明】
【技術分野】
【０００１】
本発明は、請求項１の前文に一致して、保護網、特に、落石の防護又は土壌層の安定化のための保護網に関するものである。
【背景技術】
【０００２】
土壌の表面にレイアウトする、又は斜面上にほぼ垂直に固定し得るこの種の保護網は、特許文献１に開示されている。保護網は、偏菱形の網目が形成され、各々の場合２つの隣り合う螺旋状のワイヤが互いに柔軟に保持し合うように、螺旋状に曲げられたワイヤを編んで構成される。それ故に、保護網は、折り畳んだり、巻き上げたりすることが可能で、通常のワイヤ網よりも格納及び搬送のための場所を取らない。保護網は、３次元構造を採り、ワイヤの厚さの倍数に達する厚さを有している。ワイヤの高抗張力故に、引き伸ばされた状態においてさえ、それは斜面安定器として使用されたときを意味するが、草木の生育層の固定又は覆われた地面の腐植土若しくはスプレーされた層の保持に対して、良い状態を生み出す。
【０００３】
個々の螺旋状に曲げられたワイヤの替わりに、螺旋状に曲げられたワイヤ撚り、ワイヤケーブル、又はワイヤ束を編んで保護網を製作することも可能である。そのようなものは、特に高強度を有する保護網が製作された結果として、特許文献１（欧州公開番号  第０５  ７４０  ９６３．３号）で開示されている。
【０００４】
【特許文献１】欧州特許公報  ＥＰ−Ｂ−０  ９７９  ３２９号
【発明の開示】
【発明が解決しようとする課題】
【０００５】
本発明の目的は、前述した種類の保護網を更に改良すること、更に保護網の力を吸収する能力を高めることにある。
【課題を解決するための手段】
【０００６】
課題は、請求項１に記載された特徴を有する本発明の保護網によって解決する。
【０００７】
本発明の保護網のより好ましい実施の形態は、従属項の主題を形成する。
【０００８】
本発明によれば、少なくとも複数の組みのワイヤ又はワイヤ素子において、２つの螺旋状のワイヤ又はワイヤ素子の結合領域を、即ち交差している曲がり部を、実質的に真っ直ぐな長手方向補強素子が通される。それにより、偏菱形の網目は三角形の網目に分割され、２つのワイヤ又はワイヤ素子は、柔軟な結合状態となる。補強素子は、隣接するワイヤ又はワイヤ素子の結合領域Ａの変形やゆがみを大幅に減じる（特許文献１から従来技術の保護網に比べて６０％まで減じられる）。また、螺旋状のワイヤ又はワイヤ素子の曲率半径を、接触している領域で非常に大きな値に保つことを保証する。保護網の力の伝達の重要なこれらの領域では、２本のワイヤ又はワイヤ素子に替わって、３本のワイヤ又はワイヤ素子が接触しており、その結果として、保護網の力を吸収する能力が実質上増加する。試験結果によれば、主方向（長手方向の伸張軸）の破壊荷重は３０％まで増加した。このことは、勿論横方向の破壊力も実質的に増加し得ることを意味する。
【０００９】
本発明の保護網は、補強素子に何を選ぶかによって影響され得るが、横方向の剛性をも増加する。
【００１０】
偏菱形の網目は、特許文献１の網目に比較して、大きくされ得る。何故なら、補強素子が網目の大きさを、確実に大きすぎないようにしているからである。これにより、製造コストはかなり（約５０％）減じられることとなる。
【発明の効果】
【００１１】
本発明によれば、新規な改良された保護網が安価に製造されるのみならず、既存の保護網も補強素子により改造することが可能である。この改造は３つの目的を為し得る。変形を減じること、破壊荷重を増加させること、及び／又は網目の大きさを減ずることである。
【発明を実施するための最良の形態】
【００１２】
以下、本発明につき、図面を参照しながら詳しく述べる。
【００１３】
図１は、特に落石の防護又は地面の層を安定にするための保護網１０（又はその保護網の一部）を示す。保護網は、螺旋状に曲げられたワイヤ１１、１２、１３、１４、１５、１６を編んで構成されている。螺旋状に曲げられたワイヤは、捻り角α（望ましくは２５°から３５°）と、２つの曲がり部間に長さＬを有する。相互に隣接する２つのワイヤ、例えば１１と１２、１２と１３、１３と１４等は、それらの曲がり部で互いに柔軟に接続されている。接続領域、即ち２つの隣接するワイヤ１２、１３、１３、１４等が交差する領域を、図１では符号Ａにより明示した。偏菱形の網目１７を有する斜めの網目は、ワイヤ１１から１７によって形成される。
【００１４】
ワイヤ１１から１６は、その端部が曲げられて、又は輪１１ａ、１２ａ、１３ａ、１４ａ、１５ａ、１６ａが設けられて、これらにより柔軟に接続されて組を為している。結び目があっても良い。即ち、輪の回りに更に巻かれても良い。
【００１５】
保護網１０は、図２に示すように、保護網の上部に設置され、一定の間隔を置いて挿入される固定素子２０を有する土壌又は岩石釘、及びケーブル２１によって長手伸張方向に予め張力が掛けられる。望ましくは、ワイヤ又はケーブル２１は、保護網１０の上端及び下端に位置する螺旋状に曲げられた端部（耳）ワイヤ１１（図１参照）に輪を掛けられるのが良い。上述のワイヤ又はケーブルは、順に固定素子２０によって地面等に張り伸ばされる。しかしながら、原則として固定素子２０は、端部（耳）輪１１’を直接に固定しても良い。従来の土壌又は岩石釘は、固定押し２０として使用され、好ましくは一定間隔で配置されることが良い。保護網１０は、長手伸張方向にケーブル２１によって予め張力が掛けられる。
【００１６】
本発明によれば、ワイヤ又はワイヤ素子の少なくとも幾つかの組み、例えばワイヤ１１と１２、ワイヤ１２と１３、ワイヤ１３と１４等において、実質的に真っ直ぐな長手方向補強素子３１、３２、３３、３４、３５が、２つのワイヤ又はワイヤ素子の結合領域Ａ、即ち交差する曲がり部を通される。それにより、偏菱形の網目１７は、三角形の網目１７ａ、１７ｂに分割され、２つのワイヤ又はワイヤ素子は、柔軟に接続される。（網目は、例えば２等辺三角形、又は正三角形の形を採り得る。）ここに示した実施の形態では、全てのワイヤ組には、補強素子３１から３５が備えられている。それらは互いに等間隔で配置されている。しかしながら、補強素子を２番目又は３番目のワイヤ組毎等に配置し、互いに非等間隔に配置しても良い。この方法は、必要に応じて破壊荷重及び変形能力を制御できる利点がある。等価的に、張力が印加された状態で、異なる網の厚さを得ることも可能で、それは例えば建築上の目的のため、特定の外観を形成する。
【００１７】
補強素子３１から３５は、実施の形態で示しているように１本のワイヤによって形成されており、長手方向の伸長軸と直交して走る。そして、少なくとも一つの端部は、曲げられ、又は輪３１ａ、３２ａ、３３ａ、３４ａ、３５ａが設けられ、又は結び目が設けられている。一方、これらの横方向端部素子は、対応するワイヤ組の端部素子１１ａと１２ａ、１３ａと１４ａ、１５ａと１６ａとに、柔軟に接続されるか、対応する端部（耳）輪と接続される。しかしながら、両側における端部接続は、保護網が互いに押されることを妨げることとなる。
【００１８】
図３から解るように、保護網１０はワイヤの厚さの数倍、望ましくは３から１０倍の厚さ１０’を有している。引張負荷がかかっている場合でも、この設計により、保護網の厚さやマットレスのような構造は、ほぼ完全に維持される。この点が、大部分は引張応力が掛かると当所の厚さが失われてしまう、他の網と本発明の網との大きな違いである。また、このことから、補強素子３１から３５を、２つのワイヤで形成される曲がり部に、単純に押し込むことができることとなる。
【００１９】
結合領域Ａと端部領域で、隣接するワイヤの組とそれぞれの補強要素との繋ぎ合わされた接続により、本発明の保護網１０は、格納又は輸送のために折り曲げ又は巻き上げることが容易に可能であり、ワイヤ端部の輪又は結び目の最適な形成により、巻いているときに引っ掛かりがほとんど発生しない。
【００２０】
本発明の保護網１０は、個々の螺旋状に曲げられたワイヤの替わりに、螺旋状に曲げられたワイヤス撚り、ワイヤケーブル、又はワイヤ束等を編んで製作することも可能である。補強素子３１から３５は、幾つかのワイヤから構成されても良い。また、ワイヤ撚り、ワイヤケーブル、又はワイヤ束等として設計されても良い。等価的に、棒状の補強素子でも可能である。好ましくは、円形断面、又はケーブルや他の素子が通されるように管状（又は、閉じた及び／又は部分的に閉じた管のような）補強素子が望ましい。半円、三角形等の断面を持ち、ケーブルのための凹所を持つ棒状の補強素子も、考慮され得る。
【００２１】
本発明の保護網では、補強素子は隣接するワイヤ又はワイヤ素子の結合領域Ａの変形及びゆがみを大幅に減ずる（特許文献１から従来技術の保護網に比べて６０％まで減じられる）。また、螺旋状のワイヤ又はワイヤ素子の曲率半径を、接触している領域で非常に大きな値に保つことを保証する。保護網の力の伝達の重要なこれらの領域では、２本のワイヤ又はワイヤ素子に替わって、３本のワイヤ又はワイヤ素子が接触しており、その結果として、保護網の力を吸収する能力が実質上増加する。試験結果によれば、主方向（長手方向の伸張軸）の破壊荷重は３０％まで増加した。
【００２２】
本発明の保護網は、また横方向（横方向に作用する）剛性をも増加する。それは、補強素子に何を選ぶかによって影響され得る。
【００２３】
偏菱形の網目は、特許文献１の網目に比較して、大きくされ得る。何故なら、補強素子が網目の大きさを、確実に大きすぎないようにしているからである。これにより、製造コストはかなり（約５０％）減じられることとなる。
【００２４】
保護網を形成する螺旋状に曲げられたワイヤ又はワイヤ素子、及び真っ直ぐな補強素子は、鋼で構成され、通常様々な方法（Ｚｎ、Ｚｎ−Ａｌ被覆ステンレス鋼、プラスチック等）により防食が為されている。好ましくは、螺旋状に曲げられたワイヤ又はワイヤ素子（ワイヤ撚り、ワイヤケーブル、又はワイヤ束）及び／又は真っ直ぐな補強素子は、少なくとも一部分が１０００Ｎ／ｍｍ２から３０００Ｎ／ｍｍ２（ＤＩＮ規格２０７８）の間の抗張力を有する高抗張力鋼で構成されていることである。この場合、ＤＩＮ規格１７２２３に一致するスプリングワイヤでも構わない。
【００２５】
しかしながら、実質的に力を吸収する能力が増加しているので、保護網は一部分、より低い抗張力のもので構成することができる。高い抗張力鋼で構成された螺旋状に曲げられたワイヤ又はワイヤ素子と、より低い抗張力鋼で構成された補強素子とを組み合わせると特に利点がある。この場合、後者が設置されると、その永久的な変形故に、地形への適合又は地形の表面への、そして、このように地形の起伏への“一致”が、可能なこととなる。これらのワイヤ素子を選択的に局所で予め変形しておくことで、変形を更に減少させることが可能である。
【００２６】
本発明によれば、新規な改良された保護網が安価に製造されるのみならず、既存の保護網も補強素子により改造することが可能である。この改造は３つの目的を為し得る。変形を減じること、破壊荷重を増加させること、及び／又は網目の大きさを減ずることである。
【図面の簡単な説明】
【００２７】
【図１】本発明の保護網の上面図である。
【図２】本発明の保護網を斜面上の斜面安定器としたときの、概略斜視図である。
【図３】図１の保護網の断面図である。
【符号の説明】
【００２８】
１０  保護網
１１、１２、１３、１４、１５、１６  螺旋状に曲げられたワイヤ
１７  偏菱形の網目
１７ａ、１７ｂ  三角形の網目
３１、３２、３３、３４、３５  補強素子
Ａ  結合領域
【図１】
2007162456.tif 000003
【図２】
2007162456.tif 000004
【図３】
2007162456.tif 000005
【外国語明細書】
1.  Title of Invention
Protective mesh, especially for rockfall protection or to stabilise a layer of soil
2.  Detailed Description of Invention
2007162456.tif 000006
2007162456.tif 000007
2007162456.tif 000008
2007162456.tif 000009
2007162456.tif 000010
2007162456.tif 000011
3.  Brief Description of Drawings
Fig. 1 shows an embodiment of an inventive wire mesh in top view.
Fig. 2 shows an inventive wire mesh in diagrammatic perspectival view, as slope
stabiliser on a slope.
Fig. 3 shows a cross-section through a part of the wire mesh according to Fig. 1.
4.  Description of reference characters
10   protective mesh
11,12,13,14,15,16   helically curved wires
17   rhomboidal meshes
17a,17b   triangular meshes
31,32,33,34,35   reinforcement element
A   coupling area
2007162456.tif 000012
2007162456.tif 000013
2007162456.tif 000014
1.  Abstract
2007162456.tif 000015
2.  Representative Drawing
Fig. 1
2007162456.tif 000016
2007162456.tif 000017